(57)【特許請求の範囲】
【請求項１】
プリント配線板上に画像表示手段とスイッチが設けられ、画像表示手段の表示画面上に配置されて、前記表示画面に表示された画像情報を表面側に透過表示させると共にスイッチを作動させるクリアキーを備えたスイッチ装置において、
前記クリアキーは、前記画像情報を表面側に透過表示可能な表示スイッチ釦と、前記スイッチをオンオフさせるスイッチ押下げ部を有し且つ前記表示スイッチ釦を装着させる釦取付孔部を有した釦取付枠体と、前記釦取付枠体を覆うように一体成形されて前記表示画面上に密着する支持部と伸縮自在なスカート部とを有したゴム材料からなる防水塵埃カバーとを備えており、
前記釦取付枠体に複数の樹脂回込み孔部を形成し、前記防水塵埃カバーを構成するゴム材料を前記樹脂回込み孔部に回り込ませたことを特徴とするスイッチ装置。
【請求項２】
前記表示スイッチ釦がゴム被覆された前記釦取付孔部に圧入されていることを特徴とする請求項１記載のスイッチ装置。
【請求項３】
前記釦取付枠体を構成する樹脂材料の耐熱温度が前記防水塵埃カバーを構成するゴム材料の耐熱温度よりも高いことを特徴とする請求項１又は２記載のスイッチ装置。
【請求項４】
プリント配線板上に画像表示手段とスイッチが設けられ、画像表示手段の表示画面上に配置されて、前記表示画面に表示された画像情報を表面側に透過表示させると共にスイッチを作動させるクリアキーを備えたスイッチ装置において、
前記クリアキーは、前記画像情報を表面側に透過表示可能な表示スイッチ釦と、前記スイッチをオンオフさせるスイッチ押下げ部を有し前記表示スイッチ釦の外周囲に一体的に成形された釦取付枠体と、前記釦取付枠体を覆うように一体成形されて前記表示画面上に密着する支持部と伸縮自在なスカート部とを有した弾性材料からなる防水塵埃カバーとを備えており、
前記釦取付枠体に複数の樹脂回込み孔部を形成し、前記弾性材料として熱可塑性エラストマを使用し、該熱可塑性エラストマを前記樹脂回込み孔部に回り込ませたことを特徴とするスイッチ装置。
【請求項５】
前記スカート部の厚みが他の部分の厚みよりも薄肉とされていることを特徴とする請求項１〜４の何れかに記載のスイッチ装置。
【発明の詳細な説明】
【０００１】
【発明の属する技術分野】
本発明は、例えば自動車のオーディオやエアコンシステム等を操作するためのスイッチ装置であって、画像表示手段の表示画面上に表示された画像情報を表面側に透過表示可能とするクリアキーを使用したスイッチ装置に関する。
【０００２】
【従来の技術】
従来、例えば車載用のラジオカセットデッキ等に採用されているスイッチとしては、操作釦そのものに釦機能を表示する文字等を印刷したものがほとんどであった。そのため、多機能であるラジオカセットデッキ等では、各機能に応じて操作釦を用意する必要があり、また、一つの操作釦に二つの機能表示を印刷する必要があった。
【０００３】
しかし、そうすると、操作釦の数が増えてラジオカセットデッキ等の機器自体が大型するばかりか、また、同一操作釦に複数の機能表示がされることから文字等が見難くなるといった問題がある。
【０００４】
そこで、これらの問題を解決するために、液晶表示装置の表示画面上に透明窓部を形成した操作釦を配置し、その透明窓部から前記表示画面上に表示された釦機能文字等を操作釦表面側に透過させるように構成してなるスイッチ装置を備えた電子機器が、例えば特開平９−１９８１７６号公報に開示されている。
【０００５】
かかる電子機器は、図１１に示すように、プリント基板１０１上に液晶表示装置１０２とスイッチ１０３を搭載し、その液晶表示装置１０２等を覆うようにして設けられた前面パネル１０４に透明窓部１０５を形成した操作釦１０７を装着し、前記透明窓部１０５を介して前記液晶表示装置１０２の表示画面１０７上に表示された釦機能文字等を、前記操作釦１０６の表面側に表示させるように構成してある。
【０００６】
上記構成の電子機器においては、上記表示画面１０７の上部分には受信周波数及び動作状態などが表示され、該表示画面１０７の下部分には操作釦１０６の釦機能表示がなされ、その釦機能表示が前記透明窓部１０５を介して目視により認識できるようになっている。
【０００７】
従って、この電子機器によれば、操作釦に釦機能表示を印刷等することなく、装置本体の動作状態などを表示する表示装置を利用して各操作釦の機能表示を行うことができる。また、一つの操作釦に複数の機能を持たせることができる（いわゆるマルチスイッチ化）ため、操作釦の数を増やす必要がなく、装置自体を小型化することができる。
【０００８】
【発明が解決しようとする課題】
しかしながら、上記構成の電子機器では、例えば操作釦１０６間の隙間等から塵埃や水滴などが内部に侵入し表示画面１０７と操作釦１０６との間に入り込んだ場合には、上記透明窓部１０５を介してユーザーにそれら塵埃や水滴などを認識させてしまう。つまり、操作釦１０６の一部を透明としたために、内部に入り込んだ塵埃や水滴などが見えてしまう欠点がある。また、上記表示画面１０７と操作釦１０６との間に入り込んだ塵埃などは、ユーザーによって除去する手段はない。
【０００９】
そこで本発明は、上述の課題を解決するために提案されたものであり、表示スイッチ釦の外周囲から塵埃や水滴などが該表示スイッチ釦と表示画面間に侵入するのを確実に防止することのできるスイッチ装置を提供することにある。
【００１０】
【課題を解決するための手段】
上記の課題を解決するために、請求項１に係るスイッチ装置は、プリント配線板上に画像表示手段とスイッチが設けられ、画像表示手段の表示画面上に配置されて、前記表示画面に表示された画像情報を表面側に透過表示させると共にスイッチを作動させるクリアキーを備えたスイッチ装置において、前記クリアキーは、前記画像情報を表面側に透過表示可能な表示スイッチ釦と、前記スイッチをオンオフさせるスイッチ押下げ部を有し且つ前記表示スイッチ釦を装着させる釦取付孔部を有した釦取付枠体と、前記釦取付枠体を覆うように一体成形されて前記表示画面上に密着する支持部と伸縮自在なスカート部とを有したゴム材料からなる防水塵埃カバーとを備えており、前記釦取付枠体に複数の樹脂回込み孔部を形成し、前記防水塵埃カバーを構成するゴム材料を前記樹脂回込み孔部に回り込ませたことを特徴とする。
【００１１】
画像情報を表面側に透過表示可能な表示スイッチ釦の外周囲に、前記表示スイッチ釦を装着させる釦取付孔部を有した釦取付枠体を覆うように一体成形されたゴム材料からなる防水塵埃カバーが取り付けられ、その防水塵埃カバーの支持部が表示画面上に密着するため、この防水塵埃カバーによって前記表示画面と表示スイッチ釦間への塵埃や水滴などの侵入が防止される。
【００１２】
また、釦取付枠体に複数の樹脂回込み孔部を形成し、防水塵埃カバーを構成するゴム材料を前記樹脂回込み孔部に回り込ませたことにより、通常は接合されない樹脂からなる釦取付枠体とゴム材料からなる防水塵埃カバーとが強固に結合して一体化される。このように、釦取付枠体と防水塵埃カバーとが一体化されることにより、組み付け性が向上する。
【００１３】
また、請求項２に係るスイッチ装置は、請求項１のスイッチ装置において、前記表示スイッチ釦がゴム被覆された前記釦取付孔部に圧入されていることを特徴とする。
【００１４】
前記表示スイッチ釦がゴム被覆された釦取付孔部に圧入されているので、その圧入部分において表示スイッチ釦とゴムとが密着し、該圧入部分からの塵埃や水滴などの侵入が防止される。
【００１５】
また、請求項３に係るスイッチ装置は、請求項１又は２記載のスイッチ装置において、前記釦取付枠体を構成する樹脂材料の耐熱温度が前記防水塵埃カバーを構成するゴム材料の耐熱温度よりも高いことを特徴とする。
【００１６】
防水塵埃カバーを構成するゴム材料の耐熱温度よりも高い耐熱温度を有した樹脂材料によって前記釦取付枠体を構成しているので、ゴム金型内での一体成形を可能とする。また、これにより、表示スイッチ釦の偏肉を無くすことができるため、成形が容易となる。透明な樹脂材料は、おしなべて衝撃に対し脆いため、釦取付枠体を別材料とすることでスイッチ自体の信頼性も向上する。
【００１７】
また、請求項４に係るスイッチ装置は、プリント配線板上に画像表示手段とスイッチが設けられ、画像表示手段の表示画面上に配置されて、前記表示画面に表示された画像情報を表面側に透過表示させると共にスイッチを作動させるクリアキーを備えたスイッチ装置において、前記クリアキーは、前記画像情報を表面側に透過表示可能な表示スイッチ釦と、前記スイッチをオンオフさせるスイッチ押下げ部を有し前記表示スイッチ釦の外周囲に一体的に成形された釦取付枠体と、前記釦取付枠体を覆うように一体成形されて前記表示画面上に密着する支持部と伸縮自在なスカート部とを有した弾性材料からなる防水塵埃カバーとを備えており、前記釦取付枠体に複数の樹脂回込み孔部を形成し、前記弾性材料として熱可塑性エラストマを使用し、該熱可塑性エラストマを前記樹脂回込み孔部に回り込ませたことを特徴とする。
【００１８】
表示スイッチ釦の外周囲に一体的に成形した釦取付枠体を覆うようにして弾性材料である熱可塑性エラストマからなる防水塵埃カバーを一体成形し、その防水塵埃カバーの支持部が表示画面上に密着するため、この防水塵埃カバーによって前記表示画面と表示スイッチ釦間への塵埃や水滴などの侵入が防止される。
【００１９】
また、防水塵埃カバーを熱可塑性エラストマによって形成しているため、一体成形された表示スイッチ釦及び釦取付枠体が防水塵埃カバー成形時に溶け出すことがない。
【００２０】
また、釦取付枠体に複数の樹脂回込み孔部を形成し、防水塵埃カバーを構成する熱可塑性エラストマを前記樹脂回込み孔部に回り込ませたことにより、通常は接合されない樹脂からなる釦取付枠体とゴム材料からなる防水塵埃カバーとが、この熱可塑性エラストマによって強固に結合して一体化される。このように、釦取付枠体と防水塵埃カバーとが一体化されることにより、組み付け性が向上する。
【００２１】
また、請求項５に係るスイッチ装置は、請求項１〜４の何れかに記載のスイッチ装置において、前記スカート部の厚みが他の部分の厚みよりも薄肉とされていることを特徴とする。
【００２２】
スカート部の厚みを他の部分よりも薄肉としたことにより、表示スイッチ釦を押したときに、スイッチ操作感の妨げにならないよう反力を弱くでき、スイッチ操作感が良くなる。
【００２３】
【発明の実施の形態】
以下、本発明を適用した具体的な一実施形態について図面を参照しながら詳細に説明する。
【００２４】
本実施形態のスイッチ装置は、表示スイッチ釦の外周囲から塵埃や水滴などが該表示スイッチ釦と表示画面間に侵入するのを確実に防止することのできるように構成したものである。これらの効果を奏するスイッチ装置の構成について以下に説明する。
【００２５】
＜スイッチ装置の構成＞
本実施形態のスイッチ装置は、図１及び図２に示すように、プリント配線板１上に設けられた画像表示手段であるディスプレイ２の外周囲を囲むように設けられた表示スイッチ釦取付ホルダ３に対して、透過表示可能なクリアキー４を支持軸５を中心として左右又は上下方向に可動自在に取り付けた、いわゆるシーソー形式のスイッチである。
【００２６】
『プリント配線板、スイッチ、表示スイッチ釦取付ホルダの構成』
上記プリント配線板１には、図１及び図２に示すように、上記ディスプレイ２を駆動するための駆動回路部（図示は省略する）と、各クリアキー４によってオンオフされる複数個のスイッチ６が設けられている。上記スイッチ６は、例えばメタルドーム等のスイッチ接点からなり、ディスプレイ２の一側縁に沿って所定間隔を置いて配置されている。
【００２７】
上記ディスプレイ２は、例えば液晶ディスプレイ（ＬＣＤ）又はエレクトロルミネッセンス（ＥＬ）等の如き画像表示手段とされ、各種機能の画像情報（文字情報を含む）をグラフィカルに図１中二点鎖線で示す表示画面２ａに表示するようになっている。かかるディスプレイ２は、上記プリント配線板１に対してディスプレイ取付フレーム７を介して取り付けられている。
【００２８】
上記各スイッチ６が後述するクリアキー４によって押されると、例えば車載用オーディオ機器等の各種機器のモードが瞬時にして切り換わり、そのモードに応じた情報（画像情報）が上記表示画面２ａの所望部分にグラフィカルに表示される。そして、その表示画面２ａ上に表示された画像情報は、上記クリアキー４を透過して該クリアキー４のキートップである表示部４ａに透過された形態で見える。
【００２９】
上記表示スイッチ釦取付ホルダ３は、図１に示すように、上記ディスプレイ２の外周囲を囲むフレームとして形成され、上記クリアキー４を、支持軸５を中心として可動自在（いわゆるシーソー形式）に支持するようになっている。この表示スイッチ釦取付ホルダ３には、各クリアキー４の支持軸５を保持させる保持孔８を有した支持軸保持部９が形成されている。
【００３０】
また、上記表示スイッチ釦取付ホルダ３には、図１に示すように、上記プリント配線板１上に配置されたスイッチ６を押すためのスイッチ押下げ部材１０を上下動自在に保持するスイッチ押下げ部材保持部１１が形成されている。スイッチ押下げ部材保持部１１には、上下方向に貫通する孔部１２が形成されており、その孔部１２に上記スイッチ押下げ部材１０が臨みガイドされて上下動するようになされている。
【００３１】
『クリアキーの構成』
上記クリアキー４は、図５ないし図９に示すように、表示画面２ａに表示された画像情報を表示部４ａに透過表示させると共に、複数のスイッチ６を作動させる機能をするものである。かかるクリアキー４は、画像情報を表面側である表示部４ａに透過表示可能な表示スイッチ釦１３と、スイッチ６をオンオフさせるスイッチ押下げ部１４を有し且つ前記表示スイッチ釦１３を装着させる釦取付孔部１５を有した釦取付枠体１６と、前記釦取付枠体１６を覆うように一体成形されて上記表示画面２ａ上に密着する支持部１７と伸縮自在なスカート部１８とを有したゴム材料からなる防水塵埃カバー１９とを備えている。
【００３２】
上記表示スイッチ釦１３は、図６及び図７に示すように、表示画面２ａ上に表示された画像情報を表示部４ａを介して透過可能とする樹脂材料によって形成されている。例えば、かかる表示スイッチ釦１３は、アクリル（ＰＭＭＡ）やポリカーボネート（ＰＣ）等によって矩形体として形成されており、下端側外周縁に段差部２０を形成することにより上記釦取付枠体１６に形成された釦取付孔部１５に嵌入する嵌合部２１を有している。
【００３３】
上記釦取付枠体１６は、図９に示すように、上記嵌合部２１を嵌入させる釦取付孔部１５を有した矩形状の枠体として形成され、一側縁の両端部にスイッチ６を押すためのスイッチ押下げ部１４、１４を有している。また、釦取付枠体１６には、表示スイッチ釦取付ホルダ３に形成された保持孔８に挿入されて支持される支持軸５が形成されている。
【００３４】
さらに、この釦取付枠体１６には、後述するゴム材料からなる防水塵埃カバー１９を一体的に成形するための樹脂回込み孔部２２が複数形成されている。樹脂回込み孔部２２は、例えば長孔形状として所定間隔を置いて形成されている。一般に、樹脂材料とゴム材料は成形によって一体化できないため、樹脂回込み孔部２２を釦取付枠体１６に形成することにより、この樹脂回込み孔部２２にゴム材料を回り込ませてこれら樹脂材料とゴム材料を一体化する。
【００３５】
上記釦取付枠体１６は、上記表示スイッチ釦１３に対してその厚みが薄いため、機械的強度を高めるために、剛性の高い耐熱性に優れた樹脂材料によって成形する。また、この釦取付枠体１６には、防水塵埃カバー１９が一体的に成形されることから、該防水塵埃カバー１９を構成するゴム材料の耐熱温度よりも高い耐熱温度の樹脂材料で成形する。そのため、釦取付枠体１６を構成する樹脂材料には、例えばゴム成形の金型温度は１６０℃以上、加硫に１６０〜２００℃程度の温度がかかることから、これよりも高い耐熱性を有したガラス強化ＰＢＴ（グラスファイバー系のポリブチレンテレフタレート）等を採用する。
【００３６】
上記防水塵埃カバー１９は、図６ないし図８に示すように、上記ディスプレイ２の表示画面２ａ上に密着する支持部１７と、伸縮自在なスカート部１８と、上記釦取付枠体１６を被覆する被覆部２３とからなる。上記被覆部２３は、上記樹脂回込み孔部２２に回り込むと共に上記釦取付枠体１６を覆うようになされている。
【００３７】
上記スカート部１８は、上記釦取付枠体１６の下端部外周縁に沿って斜め下方に延在するスカートとして形成されており、裾広がり状態とされている。このスカート部１８は、上記クリアキー４がスイッチストローク範囲内で可動でき、且つスイッチ操作感の妨げにならないよう反力を弱くするため、被覆部２３や支持部１７よりもその厚みが薄肉とされている。
【００３８】
上記支持部１７は、上記スカート部１８の下端外周縁に沿って水平方向に延在するフランジとして形成されており、上記ディスプレイ２の表示画面２ａ上に密着するようになっている。
【００３９】
上記した３つの部品から構成されるクリアキー４は、釦取付枠体１６が上記した耐熱性の高い樹脂材料によって成形された後、防水塵埃カバー１９を成形する金型内に上記釦取付枠体１６を配置して防水塵埃カバー１９を形成し、その防水塵埃カバー１９が一体化された釦取付枠体１６の釦取付孔部１５に、上記表示スイッチ釦１３を圧入固定することによって製造される。
【００４０】
このように釦取付枠体１６に防水塵埃カバー１９を一体化し、その釦取付枠体１６の釦取付孔部１５に表示スイッチ釦１３を圧入固定することで、圧縮されたゴムにより該釦取付孔部１５と表示スイッチ釦１３間が密着してシールされる。
【００４１】
＜スイッチ装置の動作＞
次に、以上のようにして構成されたスイッチ装置の動作について説明する。図２に示す初期状態（スイッチを押していない状態）では、防水塵埃カバー１９の支持部１７がディスプレイ２の表示画面２ａ上に密着しており、例えば図４に示すように表示スイッチ釦１３の外周囲の隙間から矢印のように塵埃や水滴等が入り込んだ場合でも、上記支持部１７が塵埃の侵入を防止し、表示画面２ａ上に塵埃が入り込むことを阻止する。
【００４２】
そして、図２の初期状態から表示スイッチ釦１３を押すと、図３に示すように、押された側のスカート部１８が縮むと共に、反対側の支持部１７が表示画面２ａに密着した状態のままスカート部１８が伸びる。このように、表示スイッチ釦１３を押してスカート部１８が伸びた場合でも、支持部１７が表示画面２ａに密着した状態にあることから、塵埃や水滴等が上記表示画面２ａと表示スイッチ釦１３間に入り込むようなことがない。従って、ユーザーは、表示画面２ａ上の塵埃や水滴等を認識するようなことがなく、常にクリアーな画像情報を見ることができる。
【００４３】
＜他の実施形態＞
以上、本発明を適用した具体的な一実施形態について説明したが、本発明は、上述の実施形態に制限されることなく種々の変更が可能である。
【００４４】
上述の実施形態では、クリアキー４を、表示スイッチ釦１３と釦取付枠体１６と防水塵埃カバー１９の３部品によって構成したが、表示スイッチ釦１３と釦取付枠体１６を一体成形したものと防水塵埃カバー１９との２部品で構成するようにしてもよい。
【００４５】
例えば、図１０に示すように、表示スイッチ釦１３の外周囲にはスイッチ押下げ部１４を有した釦取付枠体１６が一体的に成形されている。釦取付枠体１６が一体成形された表示スイッチ釦１３は、透過可能で耐熱性の高いアクリル（ＰＭＭＡ）やポリカーボネート（ＰＣ）等によって成形される。
【００４６】
そして、上記防水塵埃カバー１９は、上記アクリルやポリカーボネート等の耐熱性を考慮し、表示スイッチ釦１３及び釦取付枠体１６が溶けないようにすべく、ゴム状の弾性を持つ熱可塑性エラストマによって成形する。例えば、熱可塑性エラストマは、耐熱温度が１００℃〜１４０℃であるアクリルやポリカーボネートよりも低い耐熱温度を示し、これらアクリルやポリカーボネートを溶かすようなことはない。また、防水塵埃カバー１９として熱可塑性エラストマを使用することで、釦取付枠体１６に形成された樹脂回込み孔部２２にスムーズに熱可塑性エラストマが回り込むことになる。なお、熱可塑性エラストマとしては、ウレタン系のエラストマが好ましい。
【００４７】
本実施形態のクリアキー４を製造するには、アクリル等によって釦取付枠体１６をその外周囲に一体化させた表示スイッチ釦１３を図１０に示すように成形した後、この表示スイッチ釦１３を防水塵埃カバー１９を成形する金型内に配置して熱可塑性エラストマを流し込む。これにより、釦取付枠体１６を覆うようにして熱可塑性エラストマからなる防水塵埃カバー１９が一体化されたクリアキー４が製造される。製造された最終形態は、図５に示す３部品構成からなるクリアキー４と同じになる。
【００４８】
また、上述の実施形態では、何れもシーソー形式のスイッチ装置に本発明を適用したが、プシュ形式のスイッチ装置に本発明を適用しても同様の効果が得られる。
【００４９】
【発明の効果】
本発明は、以上説明したような形態で実施され、以下に記載されるような効果を奏する。
【００５０】
請求項１記載のスイッチ装置によれば、画像情報を表面側に透過表示可能な表示スイッチ釦の外周囲に、該表示スイッチ釦を装着させる釦取付孔部を有した釦取付枠体を覆うように一体成形されたゴム材料からなる防水塵埃カバーを取り付け、その防水塵埃カバーの支持部を表示画面上に密着させているため、この防水塵埃カバーによって上記表示画面と上記表示スイッチ釦間への塵埃や水滴などの侵入を阻止することができ、塵埃等の無いクリアーな表示画面をユーザーに提供できる。
【００５１】
また、本発明のスイッチ装置によれば、釦取付枠体に複数の樹脂回込み孔部を形成し、防水塵埃カバーを構成するゴム材料を前記樹脂回込み孔部に回り込ませたことにより、通常は接合されない樹脂からなる釦取付枠体とゴム材料からなる防水塵埃カバーとを強固に結合一体化させることができ、組み付け性を大幅に向上させることができる。
【００５２】
請求項２記載のスイッチ装置によれば、表示スイッチ釦をゴム被覆された釦取付孔部に圧入させているので、その圧入部分において表示スイッチ釦とゴムとが密着し、該圧入部分からの塵埃や水滴などの侵入を阻止することができる。
【００５３】
請求項３記載のスイッチ装置によれば、防水塵埃カバーを構成するゴム材料の耐熱温度よりも高い耐熱温度を有した樹脂材料によって前記釦取付枠体を構成しているので、該釦取付枠体の剛性を高めることができ、機械的強度を十分に確保することができる。また、表示スイッチ釦と比べて釦取付枠体の厚みが薄いため、この釦取付枠体の剛性を高めることによって、スイッチ自体の信頼性を向上させることができる。
【００５４】
請求項４記載のスイッチ装置によれば、表示スイッチ釦の外周囲に一体的に成形した釦取付枠体を覆うようにして弾性材料である熱可塑性エラストマからなる防水塵埃カバーを一体成形し、その防水塵埃カバーの支持部を表示画面上に密着させているため、この防水塵埃カバーによって前記表示画面と表示スイッチ釦間への塵埃や水滴などの侵入を阻止することができ、塵埃等の無いクリアーな表示画面をユーザーに提供できる。
【００５５】
また、本発明のスイッチ装置によれば、防水塵埃カバーを熱可塑性エラストマによって形成しているため、一体成形された表示スイッチ釦及び釦取付枠体が防水塵埃カバー成形時に溶け出すことがない。
【００５６】
また、本発明のスイッチ装置によれば、釦取付枠体に複数の樹脂回込み孔部を形成し、防水塵埃カバーを構成する熱可塑性エラストマを前記樹脂回込み孔部に回り込ませたことにより、通常は接合されない樹脂からなる釦取付枠体とゴム材料からなる防水塵埃カバーとを、この熱可塑性エラストマによって強固に結合一体化させることができ、組み付け性を大幅に向上させることができる。
【００５７】
請求項５記載のスイッチ装置によれば、スカート部の厚みを他の部分よりも薄肉としたことにより、表示スイッチ釦を押したときに、スイッチ操作感の妨げにならないよう反力を弱くでき、スイッチ操作感を良好なものとすることができる。
【図面の簡単な説明】
【図１】本実施形態のスイッチ装置の分解斜視図である。
【図２】本実施形態のスイッチ装置においてクリアキーを押していない初期状態の要部断面部である。
【図３】本実施形態のスイッチ装置においてクリアキーを押した状態の要部断面図である。
【図４】本実施形態のスイッチ装置において塵埃等がディスプレイの表示画面上に入り込まない様子を示す要部拡大断面図である。
【図５】クリアキーの斜視図である。
【図６】クリアキーの分解斜視図である。
【図７】クリアキーを分解した状態の断面図である。
【図８】釦取付枠体に防水塵埃カバーを一体成形した状態を一部破断して示す斜視図である。
【図９】釦取付枠体の斜視図である。
【図１０】表示スイッチ釦と釦取付枠体を一体成形した状態を示す斜視図である。
【図１１】従来のスイッチ装置の断面図である。
【符号の説明】
１  プリント配線板
２  ディスプレイ
２ａ  表示画面
４  クリアキー
５  支持軸
６  スイッチ
１０  スイッチ押下げ部材
１３  表示スイッチ釦
１４  スイッチ押下げ部
１５  釦取付孔部
１６  釦取付枠体
１７  支持部
１８  スカート部
１９  防水塵埃カバー
【図１】
0004223636.tif 000002
【図２】
0004223636.tif 000003
【図３】
0004223636.tif 000004
【図４】
0004223636.tif 000005
【図５】
0004223636.tif 000006
【図６】
0004223636.tif 000007
【図７】
0004223636.tif 000008
【図８】
0004223636.tif 000009
【図９】
0004223636.tif 000010
【図１０】
0004223636.tif 000011
【図１１】
0004223636.tif 000012